(57)【要約】【課題】タッチ操作の誤判定を防止できる他、タッチ操作できるようになるまでの待機時間を短縮することが可能な携帯機を提供すること。【解決手段】筐体２の操作面３を手前に向けて右手の親指で起動スイッチ７を操作し、且つ、右手の人差し指で起動スイッチ９を操作したとき、筐体２の操作面３のうちタッチ操作の検出エリア５と親指と人差し指との間には空間ができる。つまり、片手で筐体２を握りそれぞれの起動スイッチ７、９を共に操作したとき、タッチ操作の検出エリア５への接触のない状況が担保される。かかる前提のもと、それぞれの起動スイッチ７、９が共に操作されたときのタッチスイッチ４による検出容量から即座に基準値が生成され、その基準値に対する変化分を基にタッチ操作の判定が行われる。【選択図】図１
2016024650.tif 000002
【特許請求の範囲】
【請求項１】
ユーザが所持する携帯機において、
静電容量式のタッチスイッチによるタッチ操作の検出エリアが設定された操作面を有する筐体を備え、
前記タッチ操作の検出エリアを跨ぐ前記筐体の両側面に起動スイッチを設け、それぞれの起動スイッチが共に操作されたときの前記タッチスイッチによる検出容量から基準値を生成し、その基準値に対する変化分を基にタッチ操作の判定を行うタッチ操作判定手段を備える
ことを特徴とする携帯機。
【請求項２】
前記タッチ操作の検出エリアが設定された前記筐体の操作面を正面から見て、一方の起動スイッチと他方の起動スイッチとを結ぶ線分の中央が前記タッチ操作の検出エリアの中心に一致する
請求項１に記載の携帯機。
【請求項３】
少なくとも一方の起動スイッチは押圧操作式のメカスイッチである
請求項１又は２に記載の携帯機。
【請求項４】
それぞれの起動スイッチは操作方向が異なる
請求項１〜３のいずれか一項に記載の携帯機。
【請求項５】
それぞれの起動スイッチは操作方向が互いに逆の方向である
請求項１〜４のいずれか一項に記載の携帯機。
【発明の詳細な説明】
【技術分野】
【０００１】
本発明は、ユーザが所持する携帯機に関する。
【背景技術】
【０００２】
特許文献１には、タッチスイッチを備えた携帯機が開示されている。静電容量式のタッチスイッチを備えたものでは、センサ電極の寄生容量又はセンサ感度の温度変化又は製造上のばらつき等により、センサ検出容量値がばらつく。このため、非タッチ時の検出容量から基準値を生成し、その基準値に対する変化分を基にタッチ操作の判定を行う。
【先行技術文献】
【特許文献】
【０００３】
【特許文献１】特開２０１４−４９０２７号公報
【発明の概要】
【発明が解決しようとする課題】
【０００４】
使用上、非タッチ状態にあるか否かを規定し難い携帯機では、意図しないタッチ時にも基準値が生成され得るため、タッチ操作を誤判定してしまう。また、誤判定を防ぐために、起動後一定時間容量をモニタして最小値或いは平均値から基準値を生成する場合には、起動後タッチ操作できない時間が生じて煩わしい。
【０００５】
本発明は、このような問題点に着目してなされたものであって、その目的は、タッチ操作の誤判定を防止できる他、タッチ操作できるようになるまでの待機時間を短縮することが可能な携帯機を提供することにある。
【課題を解決するための手段】
【０００６】
上記課題を解決する携帯機は、ユーザが所持する携帯機において、静電容量式のタッチスイッチによるタッチ操作の検出エリアが設定された操作面を有する筐体を備え、前記タッチ操作の検出エリアを跨ぐ前記筐体の両側面に起動スイッチを設け、それぞれの起動スイッチが共に操作されたときの前記タッチスイッチによる検出容量から基準値を生成し、その基準値に対する変化分を基にタッチ操作の判定を行うタッチ操作判定手段を備えることをその要旨としている。
【０００７】
この構成によれば、タッチ操作の検出エリアを跨ぐ筐体の両側面に設けられた２つの起動スイッチが共に操作された状況を想定すると、例えば、筐体を握る右手の親指と人差し指とで２つの起動スイッチが操作され、このとき、筐体の操作面のうちタッチ操作の検出エリアと親指と人差し指との間には空間ができる。つまり、タッチ操作の検出エリアへの接触のない状況が担保され、このときの検出容量から即座に基準値を生成できるとともに、その基準値に対する変化分を基にタッチ操作の判定を行える。したがって、タッチ操作の誤判定を防止できる他、タッチ操作できるようになるまでの待機時間を短縮することができる。
【０００８】
上記携帯機について、前記タッチ操作の検出エリアが設定された前記筐体の操作面を正面から見て、一方の起動スイッチと他方の起動スイッチとを結ぶ線分の中央が前記タッチ操作の検出エリアの中心に一致することとしてもよい。
【０００９】
この構成によれば、２つの起動スイッチとタッチ操作の検出エリアが一直線上に配置されるので、それぞれの起動スイッチを親指と人差し指とで操作した際、その中間位置にあるタッチ操作の検出エリアと親指と人差し指との間には自ずと空間ができる。したがって、タッチ操作の検出エリアへの接触のない状況が担保され易い。尚、本構成とは異なり、２つの起動スイッチを結ぶ線分とは一致せず且つ当該線分に平行な直線上に中心を持つタッチ操作の検出エリアが筐体の操作面に設定された構成では、それぞれの起動スイッチを親指と人差し指とで操作した際、手のひらがタッチ操作の検出エリアに触れる可能性が高まる。
【００１０】
上記携帯機について、少なくとも一方の起動スイッチは押圧操作式のメカスイッチであることとしてもよい。
この構成によれば、少なくとも一方の起動スイッチを押圧操作し、且つ、他方の起動スイッチを操作しない限り、基準値は生成されない。したがって、意図せず両方の起動スイッチが共に操作される誤操作が起こり難い。
【００１１】
上記携帯機について、それぞれの起動スイッチは操作方向が異なることとしてもよい。
この構成によれば、それぞれの起動スイッチを異なる方向から操作しない限り、基準値は生成されない。したがって、意図せず両方の起動スイッチが共に操作される誤操作が起こり難い。
【００１２】
上記携帯機について、それぞれの起動スイッチは操作方向が互いに逆の方向であることとしてもよい。
この構成によれば、それぞれの起動スイッチを互いに逆の方向から操作しない限り、基準値は生成されない。したがって、意図せず両方の起動スイッチが共に操作される誤操作が起こり難い。
【発明の効果】
【００１３】
本発明によれば、タッチ操作の誤判定を防止できる他、タッチ操作できるようになるまでの待機時間を短縮することができる。
【図面の簡単な説明】
【００１４】
【図１】携帯機の外観を示す図。
【図２】携帯機の構成を示すブロック図。
【図３】携帯機の使用状態を示す斜視図。
【図４】携帯機の動作を示すフローチャート。
【図５】比較例１の動作を示す図。
【図６】比較例２の動作を示す図。
【図７】比較例３の携帯機を示す正面図。
【図８】比較例３の携帯機の使用状態を示す斜視図。
【発明を実施するための形態】
【００１５】
以下、携帯機の一実施の形態について説明する。
図１に示すように、携帯機１は、略直方体をなす箱形の筐体２を備え、その筐体２が有する６つの面のうち操作面３には、静電容量式のタッチスイッチ４によるタッチ操作の検出エリア５が設定されている。タッチ操作の検出エリア５を跨ぐ筐体２の両側面には、一側面６に起動スイッチ７が設けられるとともに、他側面８に起動スイッチ９が設けられている。筐体２の操作面３を正面から見て、起動スイッチ７は左側から右側に向かって操作される押圧操作式のメカスイッチであり、一方、起動スイッチ９は右側から左側に向かって操作される押圧操作式のメカスイッチである。つまり、各起動スイッチ７、９は共に筐体２の外側から内側に向かって互いに逆の方向から操作される。起動スイッチ７と起動スイッチ９とを結ぶ線分Ｌの中央がタッチ操作の検出エリア５の中心Ｏに一致している。
【００１６】
図２に示すように、携帯機１は、タッチ操作の判定を行う制御回路１０を備え、この制御回路１０に上記タッチスイッチ４及び上記各起動スイッチ７、９が電気的に接続されている。制御回路１０は、２つの起動スイッチ７、９が共に操作されたときのタッチスイッチ４による検出容量から基準値を生成し、その基準値に対する変化分を基にタッチ操作の判定を行う。制御回路１０はタッチ操作判定手段に相当する。
【００１７】
次に、携帯機１の作用について説明する。
図３に示すように、筐体２の操作面３を手前に向けて右手の親指で起動スイッチ７を操作し、且つ、右手の人差し指で起動スイッチ９を操作したとき、筐体２の操作面３のうちタッチ操作の検出エリア５と親指と人差し指との間には空間ができる。つまり、片手で筐体２を握りそれぞれの起動スイッチ７、９を共に操作したとき、タッチ操作の検出エリア５への接触のない状況が担保される。
【００１８】
図４に示すように、かかる前提のもと、それぞれの起動スイッチ７、９が共に操作されたときのタッチスイッチ４による検出容量から即座に基準値が生成され、その基準値に対する変化分を基にタッチ操作の判定が行われる。
【００１９】
図５に示すように、比較例１では、意図しないタッチ時の検出容量から基準値が生成され得るため、後にタッチしても、基準値に対する変化分が無く、タッチ操作を検出できない。これに対し本例では、それぞれの起動スイッチ７、９が共に操作されたことにより、タッチ操作の検出エリア５への接触のない状況が担保され、このときの検出容量から基準値が生成されるため、後にタッチした場合、基準値に対する変化分が有り、タッチ操作を検出できる。
【００２０】
図６に示すように、別の比較例２では、起動後一定時間容量をモニタして検出容量の最小値から基準値を生成するため、タッチ操作できない待機時間が生じる。これは、意図しないタッチは一時的なことに過ぎず、やがて非タッチの状態となったときの低い検出容量から基準値を生成すれば、意図しないタッチの影響を最小限にできることを狙っている。これに対し本例では、それぞれの起動スイッチ７、９が共に操作されたことにより、タッチ操作の検出エリア５への接触のない状況が担保されるので、このときの検出容量から即座に基準値を生成できる。
【００２１】
図７に示すように、さらに別の比較例３では、２つの起動スイッチ１７、１９を結ぶ線分Ｍとは一致せず且つ当該線分Ｍに平行な直線Ｎ上に中心Ｐを持つタッチ操作の検出エリア１５が筐体１２の操作面１３に設定された携帯機１１が想定される。
【００２２】
図８に示すように、この場合、それぞれの起動スイッチ１７、１９を親指と人差し指とで操作した際、手のひらがタッチ操作の検出エリア１５に触れる可能性が高まる。これに対し本例では、２つの起動スイッチ７、９とタッチ操作の検出エリア５が一直線上に配置されるので、それぞれの起動スイッチ７、９を親指と人差し指とで操作した際、その中間位置にあるタッチ操作の検出エリア５と親指と人差し指との間には自ずと空間ができる。
【００２３】
以上説明したように、本実施の形態によれば、以下の効果を奏することができる。
（１）タッチ操作の検出エリア５を跨ぐ筐体２の両側面に設けられた２つの起動スイッチ７、９が共に操作された状況を想定すると、例えば、筐体２を握る右手の親指と人差し指とで２つの起動スイッチ７、９が操作され、このとき、筐体２の操作面３のうちタッチ操作の検出エリア５と親指と人差し指との間には空間ができる。つまり、タッチ操作の検出エリア５への接触のない状況が担保され、このときの検出容量から即座に基準値を生成できるとともに、その基準値に対する変化分を基にタッチ操作の判定を行える。したがって、タッチ操作の誤判定を防止できる他、タッチ操作できるようになるまでの待機時間を短縮することができる。
【００２４】
（２）２つの起動スイッチ７、９とタッチ操作の検出エリア５が一直線上に配置されるので、それぞれの起動スイッチ７、９を親指と人差し指とで操作した際、その中間位置にあるタッチ操作の検出エリア５と親指と人差し指との間には自ずと空間ができる。したがって、タッチ操作の検出エリア５への接触のない状況が担保され易い。
【００２５】
（３）２つの起動スイッチ７、９を共に押圧操作しない限り、基準値は生成されない。したがって、意図せず両方の起動スイッチ７、９が共に操作される誤操作が起こり難い。つまり、単なるタッチ操作等とは異なる押圧操作を求めることで、しかも双方の起動スイッチ７、９にそれを求めることで、意識的にそれらを行う必要があるので、誤操作が起こり難い。尚、スライドスイッチ等と比べると押圧操作は簡単であり、操作性に優れる。
【００２６】
（４）それぞれの起動スイッチ７、９を異なる方向から操作しない限り、基準値は生成されない。したがって、意図せず両方の起動スイッチ７、９が共に操作される誤操作が起こり難い。
【００２７】
（５）それぞれの起動スイッチ７、９を互いに逆の方向から操作しない限り、基準値は生成されない。したがって、意図せず両方の起動スイッチ７、９が共に操作される誤操作が起こり難い。
【００２８】
尚、上記実施の形態は、次のように変更して具体化することも可能である。
・筐体２の操作面３を正面から見て、起動スイッチ７と起動スイッチ９とを結ぶ線分Ｌの中央が必ずしもタッチ操作の検出エリア５の中心Ｏに一致していなくてもよい。つまり、それらが若干ずれていても、２つの起動スイッチ７、９が共に操作されたときにタッチ操作の検出エリア５への接触のない状況が担保されていればよい。
【００２９】
・２つの起動スイッチ７、９が共に押圧操作式のメカスイッチである構成に限らず、少なくとも一方が押圧操作式のメカスイッチであってもよい。尚、２つの起動スイッチが共に押圧操作式のメカスイッチでなく、例えばタッチスイッチであったとしても、２つの起動スイッチを共に操作する必要がある限り、１つの起動スイッチによる構成に比べて誤操作が起こり難い。つまり、起動スイッチは押圧操作式のメカスイッチに限定されず、タッチスイッチ或いはスライドスイッチ等であってもよい。
【００３０】
・２つの起動スイッチ７、９は必ずしも操作方向が異なっていなくてもよい。
・２つの起動スイッチ７、９の操作方向の異なる態様は必ずしも操作方向が互いに逆の方向であることに限定されない。
【００３１】
・タッチ操作の検出エリア５への接触のない状況が担保される位置に３つ以上の起動スイッチを設けてもよい。
・ユーザが所持する携帯機１は車両又は建物の鍵として使われるもの或いはスマートフォン等の情報端末であってもよい。尚、比較的小型のものであれば片手で握って起動スイッチを操作した際にタッチ操作の検出エリアへの接触のない状況が担保され易く、つまり空間ができ易く好適である。
【符号の説明】
【００３２】
１…携帯機、２…筐体、３…操作面、４…タッチスイッチ、５…検出エリア、６…一側面、７…起動スイッチ、８…他側面、９…起動スイッチ、１０…制御回路（タッチ操作判定手段）。
【図１】
2016024650.tif 000003
【図２】
2016024650.tif 000004
【図３】
2016024650.tif 000005
【図４】
2016024650.tif 000006
【図５】
2016024650.tif 000007
【図６】
2016024650.tif 000008
【図７】
2016024650.tif 000009
【図８】
2016024650.tif 000010